(57)【要約】【目的】簡単に移動させることができ、数秒〜数分で一時介護室を構築することができるとともに、構築した一時介護室を無くし元に戻すことができる一時介護室構築ツールを提供すること。高齢者や障害者に嫌悪感を抱かせることなく、一時介護室を構築することができ、且つ、高齢者や障害者を見守るないし監視することができる一時介護室構築ツールを提供すること。【解決手段】一時介護室構築ツール１００は、背面側に設けられる背板１１０と、背板１１０の下側両端に垂設される下側側板１２０と、下側側板１２０に載設される下側天板１３０と、背板１１０の上側両端に垂設される上側側板１４０と、上側側板１４０に載設される上側天板１５０と、背板１１０及び／又は下側側板１２０の下部内側に取り付けられる取付板１６０の底面に設けられるキャスター１７０とを備える。【選択図】図１
2013059547.tif 000002
【特許請求の範囲】
【請求項１】
背面側に設けられる背面遮断手段と、
前記背面遮断手段の下側両端に垂設される下側側面遮断手段と、
前記下側側面遮断手段に載設される下側天板と、
前記背面遮断手段の上側両端に垂設される上側側面遮断手段と、
前記上側側面遮断手段に載設される上側天板と、
前記背面遮断手段及び／又は前記下側側面遮断手段の下部内側に取り付けられる取付手段の底面に設けられる移動手段と、を備えたことを特徴とする一時介護室構築ツール。
【請求項２】
前記上側天板が前記背面遮断手段と当接する部分から当該上側天板の水平外側方向に延長させた端部が形成され当該端部が曲面であることを特徴とする請求項１に記載の一時介護室構築ツール。
【請求項３】
椅子と組み合わされることを特徴とする請求項１又は２に記載の一時介護室構築ツール。
【請求項４】
前記背面遮断手段と前記下側側面遮断手段とによる被囲暁部分に棚板を設けたことを特徴とする請求項１から３のいずれかに記載の一時介護室構築ツール。
【請求項５】
前記上側天板の端面、前記上側側面遮断手段、前記下側天板の端面、及び、前記下側側面遮断手段は凹凸のない垂直平面を構成するものであることを特徴とする請求項１から４のいずれかに記載の一時介護室構築ツール。
【請求項６】
請求項１から５に記載の一時介護室構築ツールを複数配置したことを特徴とする一時介護室構築ツール。
【請求項７】
請求項５に記載の一時介護室構築ツールを複数配置する場合において前記垂直平面を互いに密着させたことを特徴とする一時介護室構築ツール。
【発明の詳細な説明】
【技術分野】
【０００１】
本発明は、一時介護室構築ツールに関し、更に詳しくは、高齢者介護施設、障害者介護施設等において様々な居室又は空間（通路等）の全部又は一部を直ちに一時介護室とすることができるとともに、一般居室や介護居室に適用可能な一時介護室構築ツールに関する。
【背景技術】
【０００２】
厚生労働省による「有料老人ホーム設定運営標準指導指針」によれば、規模及び構造設備につき、一時的な介護サービスを提供するための居室として「一時介護室」を設けることが規定されている。この一時介護室は、（１）入居者の状況等に応じた適切な数の確保、（２）建築基準法に基づく界壁による区分け、（３）看護職員（介護職員を含む、本明細書において以下同じ）等の配置等が義務づけられている。
【０００３】
また、高齢者や障害者を対象とした設備施設等について従来提案されているものとして以下の文献に記載されたものが周知である。まず、特許文献１の介護システムは、介護者の入浴補助を容易化することを目的として提案されたものである。この介護システムは、床の高さを、ほぼ床上に設置された浴槽の上縁高さとし、床上にキャスター付きのベットを配置した構成を備える。
【０００４】
特許文献２の介護室装置は、患者、介護人に取って操作しやすい介護室装置を提供することを目的として提案されたものである。この介護室装置は、患者の生活に必要な設備を備えた介護室の天井に、一方向に配設した案内レールと、該案内レールに沿って自走する、該案内レールと直角方向に長い移動レールと、該移動レールに沿って走行するサドルと、該サドルに設けた巻上げ機とからなる自走式天井走行クレーンを設けた構成を備える。
【０００５】
特許文献３の介護室装置は、患者、介護人にかかる精神的、肉体的負担を軽減できる介護室装置を提供することを目的として特許文献２の介護室装置を更に改良したモデルとして提案されたものである。この介護室装置は、患者の生活に必要な設備を備えた介護室に、介護室のＸＹ平面に対しＸ方向に配設した案内レールと、該案内レールに沿って自走するＹ方向に長い移動レールと、該移動レールに沿って走行する走行台と、該走行台に設けた巻上げ機とから成る自走式天井走行クレーンを設けた構成を備える。
【０００６】
特許文献４の介護室は、被介護者や車椅子の移動のための労力が多大であり、介護者や被介護者の負担が大きいことを受け、ベッドから車椅子、車椅子から風呂や便器への移動や、寝室からトイレや浴室に移動が簡便な介護室を提供することを目的として提案されたものである。この介護室は、寝室、トイレ、及び浴室の段差をなくして一室内に配置するとともに、床面と、ベッドの寝床、便器の座面、及び風呂の上縁との間のそれぞれの高さを、車椅子の座面の高さに合致させたことを特徴としたものである。
【０００７】
特許文献５の介護室構造は、介護人に重度の労働を強いることなく、適正な介護が簡単且つ十分にできる構成を提供することを目的として提案されたものである。この介護室構造は、介護用の部屋のレイアウトを改良するものであり、その具体的構成としては、部屋上部にＵ字状のレールを設け、このレールに沿ってその下方に療養器具である療養ベッド、水洗トイレ、ユニットバスを備えると共に、レールに被介護人用吊下支持器具を懸下した構成を備えたものである。
【０００８】
特許文献６の介護室構造は、介護室に寝起きする各人の占有スペースの大きさを手間無く自在に変更することを目的として提案されたものである。この介護室構造は、介護室に、ナースコール付きの仕切兼用の家具を、面積可変な占有スペースを形成し得る形で移動自在に設ける一方で、該家具の移動範囲に沿った形の壁中にコネクタユニットを複数埋設し、盲蓋を嵌着した構成を備える。
【先行技術文献】
【特許文献】
【０００９】
【特許文献１】特開２００１−１０４４３６
【特許文献２】特開２０００−２３７２５０
【特許文献３】特開２０００−１０７２３７
【特許文献４】特開平１０−３３９０４３
【特許文献５】特開平６−１３４００８
【特許文献６】特開平６−４２２１０
【発明の概要】
【発明が解決しようとする課題】
【００１０】
上記の厚生労働省による「有料老人ホーム設定運営標準指導指針」に適合した一時介護室を設置しようとするとこれ専用の建物設計とすることが必要であるという問題がある。また、そのような専用の建物設計とすると他の用途に使えないという問題がある。従って、数秒〜２、３分で一時介護室を形成することができる移動式ツールが業界で所望されている。
【００１１】
更に、高齢者や障害者は看護職員等が予測できない行動を起こすおそれがあるため２４時間体制で彼等が安全で健康的な生活を送ることができるように配慮する必要がある。そうすると、一般居室や介護居室（有料老人ホームが自ら介護サービスを提供するための専用の居室であり、要介護者の健康状態、精神状態等に応じて適切な数が確保される）についても上記の一時介護室と同様の移動式ツールが業界で所望されている。しかし、全ての一般居室や介護居室にこのような移動式ツールを設置すると空間が無駄になったり、緊急事態が発生したときに邪魔になるといった問題がある。
【００１２】
上記特許文献１〜６に記載の従来の介護関連設備は、介護人の労力軽減や被介護者の移動搬送を楽に行うことができることに関する技術であり、一時介護室を数秒〜２、３分で形成することができる移動式ツールに関するものではない。
【００１３】
また、一時介護室、介護居室、一般居室のいずれにおいても、これらを利用する高齢者や障害者にとっては、「見られている、監視されている」という意識を起こさせないような移動式ツールであることもまた重要である。
【００１４】
本発明は、上記事情に鑑みてなされたものであり、その第一の目的は、簡単に移動させることができる一時介護室構築ツールを提供することにある。
本発明の第二の目的は、数秒〜数分で一時介護室を構築することができるとともに、構築した一時介護室を無くし元に戻すことができる一時介護室構築ツールを提供するものである。
本発明の第三の目的は、高齢者や障害者に嫌悪感を抱かせることなく、一時介護室を構築することができ、且つ、高齢者や障害者を見守るないし監視することができる一時介護室構築ツールを提供することにある。
【課題を解決するための手段】
【００１５】
上記課題を解決するために、本発明に係る一時介護室構築ツールは、
背面側に設けられる背面遮断手段と、
前記背面遮断手段の下側両端に垂設される下側側面遮断手段と、
前記下側側面遮断手段に載設される下側天板と、
前記背面遮断手段の上側両端に垂設される上側側面遮断手段と、
前記上側側面遮断手段に載設される上側天板と、
前記背面遮断手段及び／又は前記下側側面遮断手段の下部内側に取り付けられる取付手段の底面に設けられる移動手段と、を備えたことを要旨とする。
【００１６】
上記構成を備えた本発明に係る一時介護室構築ツールによれば、移動手段が背面遮断手段及び／又は下側側面遮断手段の下部内側に取り付けられる取付手段の底面に設けられるため、一時介護室構築ツールを持ち上げたりすることなく、簡単に移動させることができる。そのため、本発明に係る一時介護室構築ツールは、数秒〜数分で一時介護室を構築することができるとともに、構築した一時介護室を無くし元に戻すことができる。
【００１７】
本発明に係る一時介護室構築ツールは、背面側に設けられる背面遮断手段と、前記背面遮断手段の下側両端に垂設される下側側面遮断手段と、前記背面遮断手段の上側両端に垂設される上側側面遮断手段と、前記上側側面遮断手段に載設される上側天板とが、看護職員の存在の全て又は一部を、高齢者や障害者の視界から遮る。そのため、本発明に係る一時介護室構築ツールは、高齢者や障害者に嫌悪感を抱かせることなく、一時介護室を構築することができ、且つ、高齢者や障害者を見守るないし監視することができる。
【００１８】
この場合に、本発明に係る一時介護室構築ツールは、前記上側天板が前記背面遮断手段と当接する部分から当該上側天板の水平外側方向に延長させた端部が形成され当該端部が曲面であることが好ましい。これにより、高齢者や障害者が一時介護室構築ツールにぶつかってもさほど痛みを感じることなく怪我等の心配もないためである。
【００１９】
この場合に、本発明に係る一時介護室構築ツールは、椅子と組み合わされたものでもよい。これにより、看護職員が椅子に腰掛けて下側天板を机天板として活用して事務作業ができるとともに、当該一時介護室構築ツールの脇や上側から高齢者や障害者の様子を見守るないし監視することができる。
【００２０】
この場合に、本発明に係る一時介護室構築ツールは、前記背面遮断手段と前記下側側面遮断手段とによる被囲暁部分に棚板を設けることが望ましい。
【００２１】
この場合に、本発明に係る一時介護室構築ツールは、前記上側天板の端面、前記上側側面遮断手段、前記下側天板の端面、及び、前記下側側面遮断手段は凹凸のない垂直平面を構成することが望ましい。これにより、当該垂直平面を壁面へ密着させやすく配置がしやすいからである。
【００２２】
この場合に、本発明に係る一時介護室構築ツールは、本発明に係る一時介護室構築ツールを複数配置したものでもよい。これにより、各々の一時介護室構築ツールに対して椅子を複数設置した場合には複数の看護職員により高齢者や障害者の介護や監視をすることができる。
【００２３】
この場合に、本発明に係る一時介護室構築ツールは、前記垂直平面を互いに密着させたものであることが望ましい。これにより、横幅を必要に応じて変更させた一時介護室構築ツールを得ることができる。そのため、本発明に係る一時介護室構築ツールによって形成される一時介護室の大きさも自由自在に調整することができる。
【発明の効果】
【００２４】
本発明に係る一時介護室構築ツールは、背面遮断手段及び／又は下側側面遮断手段の下部内側に取り付けられる取付手段の底面に設けられる移動手段を備えたものであるため、簡単に移動させることができるという効果がある。そのため、本発明に係る一時介護室構築ツールは、数秒〜数分で一時介護室を構築することができるとともに、構築した一時介護室を無くし元に戻すことができるという効果がある。
【００２５】
本発明に係る一時介護室構築ツールは、背面側に設けられる背面遮断手段と、前記背面遮断手段の下側両端に垂設される下側側面遮断手段と、前記背面遮断手段の上側両端に垂設される上側側面遮断手段と、前記上側側面遮断手段に載設される上側天板と、を備えたものであるため、高齢者や障害者に嫌悪感を抱かせることなく、一時介護室を構築することができ、且つ、高齢者や障害者を見守るないし監視することができるという効果がある。
【図面の簡単な説明】
【００２６】
【図１】本発明の一実施形態に係る一時介護室構築ツール１００の斜視図である。
【図２】一時介護室構築ツール１００の（ａ）正面図、（ｂ）左側断面図、（ｃ）背面図である。
【図３Ａ】一時介護室構築ツール１００を食堂兼介護職員室に設置することにより一時介護室を食堂兼介護職員室側から見た例を示す図面代用写真である。
【図３Ｂ】一時介護室構築ツール１００を食堂兼介護職員室に設置することにより一時介護室を当該一時介護室側から見た例を示す図面代用写真である。
【図３Ｃ】一時介護室構築ツール１００を食堂兼介護職員室から出口へ向かう通路に設置することにより高齢者や障害者が勝手に施設外へ出ないようにするための活用例を示す図面代用写真である。
【図４】一時介護室構築ツール１００を一般居室又は介護居室から出口へ向かう通路に設置することにより高齢者や障害者が勝手に施設外へ出ないようにするための活用例を示す図面代用写真である。
【図５】一時介護室構築ツール１００を介護居室の入口横側に設置することにより高齢者や障害者に対する介護作業を見守るないし監視するときの活用例を示す図面代用写真である。
【図６】一時介護室構築ツール１００を一般居室の入口前に設置することにより高齢者や障害者を２４時間体制で見守るないし監視するとともに、彼等が勝手に居室から出ないようにするための活用例を示す図面代用写真である。
【符号の説明】
【００２７】
１００  一時介護室構築ツール
１１０  背板（背面遮断手段）
１２０  下側側板（下側側面遮断手段）
１３０  下側天板
１４０  上側側板（上側側面遮断手段）
１５０  上側天板
１５１  端部
１６０  取付板（取付手段）
１７０  キャスター（移動手段）
１８０  棚板
【発明を実施するための形態】
【００２８】
以下図面を参照して本発明の一実施形態に係る一時介護室構築ツール１００について説明する。
（構成）
図１及び図２に示す一時介護室構築ツール１００は、背板１１０と、下側側板１２０と、下側天板１３０と、上側側板１４０と、上側天板１５０と、取付板１６０及びその底面に設けられるキャスター１７０と、棚板１８０とからなる。これらのうちキャスター１７０以外は、木製、プラスチック製等の材質のものが用いられる。キャスター１７０は本体がゴム製からなり、支持部、及び、連結部等が金属製のものにより構成されるが、その材質は特に限定されない。これらの各部材の連結は、接着剤、ボルト、釘等を用いたり、種々の組み方（いも組、トメ組、ロッキング組、あぜくら組）を用いることによりなされる。
【００２９】
ここで、一時介護室構築ツール１００により構築される上記の厚生労働省が規定する一時介護室は、具体的に本実施形態においては、一時介護室構築ツール１００が設置されたところの背板１１０とは反対側の部分、下側天板１３０のところに椅子（図３Ａの右上、図３Ｂ、図６参照）が配置された場合のその椅子側の空間をいう。
【００３０】
一時介護室構築ツール１００について更に詳細に説明する。
背板１１０は、背面側に設けられる平板であり、ポリ合板その他の化粧板からなる。下側側板１２０は、背板１１０と背板１１０の下側両端に垂設されるものであり、ポリ合板その他の化粧板からなり、本実施形態では背板１１０と同じ化粧板が用いられる。本実施形態においては、外観上の観点から背板１１０と、上側側板１４０の端面、下側天板１３０、及び／又は、下側側板１２０の端面とは化粧板で覆われる（図２（ｃ）参照）。
【００３１】
下側天板１３０は、下側側板１２０に載設される平板であり、本実施形態においては主として机としての機能を果たす平板である。下側天板１３０もまた、ポリ合板その他の化粧板からなり、本実施形態では背板１１０と同じ化粧板が用いられる。
【００３２】
上側側板１４０は、背板１１０の上側両端に垂設される平板であり、本実施形態においては書籍等を載置するときの支持板となったり、一時介護室構築ツール１００の前に配置される椅子に座る看護職員の目隠しとなったりする機能を果たす平板である。上側側板１４０もまた、ポリ合板その他の化粧板からなり、本実施形態では背板１１０と同じ化粧板が用いられる。
【００３３】
上側天板１５０は、上側側板１４０に載設される平板であり、本実施形態においては主として種々の物を一時的に載置したり、高齢者・障害者・看護職員が支え台としたり書き物をするときの机としての機能を果たしたり、一時介護室構築ツール１００の前に配置される椅子に座る看護職員の目隠しとなったりする機能を果たす平板である。上側天板１５０が背板１１０と当接する部分から上側天板１５０の水平外側方向に延長させた端部１５１は曲面形状とされている。端部１５１が曲面であることにより、高齢者や障害者が一時介護室構築ツールにぶつかってもさほど痛みを感じることなく怪我等の心配も少ない。上側天板１５０もまた、ポリ合板その他の化粧板からなり、本実施形態では背板１１０と同じ化粧板が用いられる。
【００３４】
取付板１６０は、背板１１０及び／又は下側側板１２０の下部内側に対向して取り付けられる一対の角材からなり、取付板１６０を構成する一対の角材それぞれの前後端部底面にはストッパー付きのキャスター１７０が設けられる。本実施形態においては、下側側板１２０の下端部内側に取り付けられている。
キャスター１７０は、市販品を用いることができ、取付板１６０の前後端部底面に取り付けられる。本実施形態においては取付板１６０の底面の角部付近四箇所に取り付けられる。尚、キャスター１７０は背板１１０の底面左右端部に取り付けてもよい。このように、キャスター１７０が背板１１０及び／又は下側側板１２０の底面に設けられるため、一時介護室構築ツール１００を持ち上げたりすることなく、簡単に移動させることができる。すなわち、一時介護室構築ツール１００は、数秒〜数分で一時介護室を構築することができるとともに、構築した一時介護室を無くし元の状態に戻すことができる。
【００３５】
棚板１８０は、背板１１０と下側側板１２０とによる被囲暁部分に取り付けられる平板である。本実施形態においては主として種々の物を一時的に載置する機能を備える。棚板１８０もまた、ポリ合板その他の化粧板からなり、本実施形態では背板１１０と同じ化粧板が用いられる。
【００３６】
一時介護室構築ツール１００は、上側天板１５０の左右両端面、上側側板１４０の表面、下側天板１３０の左右両端面、及び、下側側板１２０の表面は凹凸のない垂直平面とされる。これにより、当該垂直平面を壁面へ密着させやすく配置がしやすい。また、一時介護室構築ツール１００どうしを密着させて大きさを自在に調整することができる。
【００３７】
一時介護室構築ツール１００は、背面側に設けられる背板１１０と、背板１１０の下側両端に垂設される下側側板１２０と、背板１１０の上側両端に垂設される上側側板１４０と、上側側板１４０に載設される上側天板とが、看護職員の存在の全て又は一部を、高齢者や障害者の視界から遮る。そのため、一時介護室構築ツール１００によれば、高齢者や障害者に嫌悪感を抱かせることなく、一時介護室を構築することができ、且つ、高齢者や障害者を見守るないし監視することができる。  
【００３８】
（使用方法−椅子との組み合わせ）
図３Ａ、図３Ｂ及び図６に示すように、一時介護室構築ツール１００は、椅子と組み合わすとよい。この場合、看護職員は、椅子に腰掛けて下側天板１３０を机天板として活用して事務作業ができるとともに、当該一時介護室構築ツール１００の脇や上側から高齢者や障害者の様子を見守るないし監視することができる。
【００３９】
（使用方法−複数配置）
図３Ａ〜図３Ｃ及び図４に示すように、一時介護室構築ツール１００は、これを複数配置したものでもよい。各々の一時介護室構築ツール１００に対して椅子を複数設置すれば複数の看護職員により高齢者や障害者の介護や監視をすることができる。また、複数配置により形成される一時介護室のスペースを大きく取ることができる。
複数配置のさせ方は特に限定されないが、垂直平面を互いに密着させたものが多く用いられる。これにより、横幅を必要に応じて変更させた一時介護室構築ツールを得ることができる。一時介護室構築ツール１００によって形成される一時介護室の大きさ（横方向）も自由自在に調整することができる。
【００４０】
（使用方法−一時介護室構築）
図３Ａ及び図３Ｂに示す図面代用写真は、一時介護室構築ツール１００を食堂兼介護職員室に設置することにより一時介護室を形成した一例を示す。背板１１０側が食堂兼介護職員室であり、椅子側が一時介護室である。
【００４１】
（使用方法−待避防止）
図３Ｃに示す図面代用写真は一時介護室構築ツール１００を食堂兼介護職員室から出口へ向かう通路に設置することにより、図４は一時介護室構築ツール１００を一般居室又は介護居室から出口へ向かう通路に設置することにより、それぞれ、高齢者や障害者が勝手に施設外へ出ないようにするための活用例を示す。看護職員が出口側で椅子に座って待機することで一時介護室を構築するとともに監視が可能である。
【００４２】
（使用方法−２４時間体制での監視）
図５の図面代用写真は一時介護室構築ツール１００を介護居室の入口横側に設置することにより、図６は一時介護室構築ツール１００を一般居室の入口前に設置することにより、それぞれ、高齢者や障害者に対する介護作業を見守るないし監視するときの活用例を示す。
【００４３】
以上のように、一時介護室構築ツール１００は、単なる一時介護室の構築に留まらず種々の用途に用いることができ、看護職員等の労力を軽減するとともに介護作業の効率を高めることができる。また、本発明は、上記実施の形態に限定されるものではなく種々の改変が可能である。
【産業上の利用可能性】
【００４４】
本発明に係る一時介護室構築ツールは、高齢者施設や障害者施設において一時介護室を直ちに構築することができる一方、これを移動させることができ、更に、一般居室及び介護居室でも使用が可能であるため、今後より一層増加する高齢者・障害者施設における需要拡大が見込まれる。
【図１】
2013059547.tif 000003
【図２】
2013059547.tif 000004
【図３Ａ】
2013059547.tif 000005
【図３Ｂ】
2013059547.tif 000006
【図３Ｃ】
2013059547.tif 000007
【図４】
2013059547.tif 000008
【図５】
2013059547.tif 000009
【図６】
2013059547.tif 000010